(57)【要約】【課題】製造コスト、延いては消費者向けの販売価格が廉価であることを確保した上で、浴室内での衣類の乾燥処理に適したものにする。【解決手段】浴室乾燥機７０が装備された浴室６０内に配設される浴室用物干し竿１０であって、浴室６０内の対向壁面６１０間に架設される棒状の竿本体２０を有し、竿本体２０には、衣類ハンガーＨのフックＨ１を架けるための複数のフック架け溝としての環状隙間３２が長手方向の全長に亘って等ピッチで設けられている。【選択図】図５
2009189408.tif 000002
【特許請求の範囲】
【請求項１】
浴室乾燥機が装備された浴室内に配設される浴室用物干し竿であって、
浴室内の対向壁面間に架設される棒状の竿本体を備え、
前記竿本体には、衣類ハンガーのフックを架けるための複数のフック架け溝が長手方向の全長に亘って略等ピッチで設けられていることを特徴とする浴室用物干し竿。
【請求項２】
前記竿本体に同心で外嵌された状態の複数の筒体が設けられ、前記フック架け溝は、前記竿本体を介して隣設された各筒体間に形成される環状隙間によって形成されていることを特徴とする請求項１に記載の浴室用物干し竿。
【請求項３】
前記竿本体の端部または最も外側の筒体の外方端部には、当該竿本体の端部を浴室内の対向壁面に圧接させるための取り付け部材が設けられていることを特徴とする請求項１または２に記載の浴室用物干し竿。
【発明の詳細な説明】
【技術分野】
【０００１】
本発明は、浴室乾燥機が設置されることにより乾燥室として利用することができるように構成された浴室内で好適に使用される浴室用物干し竿に関するものである。
【背景技術】
【０００２】
従来、特許文献１に記載されているような、浴室用物干し竿が知られている。この浴室用物干し竿は、乾燥機が設置されることにより乾燥室として利用することが可能な浴室に使用されるものである。特許文献１の物干し竿は、浴室の対向壁面間に架設される竿本体（物干し竿３）と、この竿本体の上面側にその長手方向の全長に亘り所定ピッチで並設された複数の球体（支持具４）を備えている。前記球体は、その底部が首部を介して上下方向に延びる軸心回りに回転可能に竿本体に取り付けられている。かかる球体には、頂点位置から経線方向に延びて球体を略一周する、ハンガーのフックを架けるためのスリットが設けられている。
【０００３】
かかる構成の浴室用物干し竿によれば、平面視でのスリットの延びる方向を、乾燥機の気流吹き出し口の中心位置を起点として放射状に延びるように各球体の首部回りの位相を設定することにより、前記スリットに架けられたハンガーに支持されている乾燥用の各衣類は、その全てが乾燥機からの気流と平行に干された状態になり、風通しの良さによって全ての衣類を均等に乾燥処理することができる。
【特許文献１】特開２００３−１８１１９５号公報
【発明の開示】
【発明が解決しようとする課題】
【０００４】
しかし、上記特許文献１の浴室用物干し竿にあっては、まず、構造が複雑であるため製造コストが嵩み、結果として物干し竿としては高価なものになっていまい、普及し難いという問題点が存在する。また、構造が複雑な分だけ各所に異物が付着したり挟まったりし易く、従って、これらを取り除いて浴場用物干し竿を清浄に保つために多くの手間と時間が掛かるという問題点も存在する。
【０００５】
本発明は、従来のかかる問題点を解消するためになされたものであって、製造コスト、延いては消費者向けの販売価格が廉価であることを確保した上で、浴室内での衣類の乾燥処理に適した浴室用物干し竿を提供することを目的としている。
【課題を解決するための手段】
【０００６】
本発明の一局面に係る浴室用物干し竿は、浴室乾燥機が装備された浴室内に配設される浴室用物干し竿であって、浴室内の対向壁面間に架設される棒状の竿本体を備え、前記竿本体には、衣類ハンガーのフックを架けるための複数のフック架け溝が長手方向の全長に亘って略等ピッチで設けられていることを特徴とする（請求項１）。
【０００７】
この構成によれば、竿本体を浴室内の対向壁面間に架設した状態で、乾燥用の衣類が支持された複数の衣類ハンガーの各フックを、略等ピッチで設けられた複数のフック架け溝にそれぞれ嵌め込んでいくことにより、各衣類は、所定の間隔で吊持された状態になる。そして、フックがフック架け溝に嵌り込んだ状態で吊持されるため、浴室乾燥機の温風が衣類ハンガーで吊られた衣類に吹き当たっても、その勢いで吊り位置が竿本体の長手方向にずれてしまうことはない。このため、衣類乾燥中に隣接する衣類が互いに重なり合ったり、或いは互いに離間し過ぎたりするようなアンバランスになる不都合が解消され、浴室乾燥機からの気流が各衣類に均等に供給され、各衣類に対する均等かつ迅速な乾燥処理が実現する。
【０００８】
上記構成において、前記竿本体に同心で外嵌された状態の複数の筒体が設けられ、前記フック架け溝は、前記竿本体を介して隣設された各筒体間に形成される環状隙間によって形成されていることが望ましい（請求項２）。この構成によれば、複数のフック架け溝を、竿本体への複数の筒体の嵌め込みによって容易に形成できる。
【０００９】
上記いずれかの構成において、前記竿本体の端部を浴室内の対向壁面に圧接させるための取り付け部材が設けられていることが望ましい（請求項３）。この構成によれば、浴室用物干し竿は、取り付け部材を浴室内の壁面に圧接させることにより、当該取り付け部材と壁面との間の摩擦力によって浴室内に容易に取り付けることができる。
【発明の効果】
【００１０】
本発明に係る浴室用物干し竿によれば、構造がシンプルであるので、製造コストを大幅に低減することができる。また、衣類ハンガーの各フックを、略等ピッチで設けられたフック架け溝に嵌り込んだ状態で吊持できるため、衣類乾燥中に浴室乾燥機の温風の勢いで隣接する衣類が互いに重なり合ったり、或いは互いに離間し過ぎたりすることを抑止でき、衣類に均等に温風を行き渡らせることができる。従って、衣類の乾きムラを抑制することができ、浴室乾燥機の運転時間の短縮化による省エネルギーにも貢献することができる。
【発明を実施するための最良の形態】
【００１１】
図１は、本発明の一実施形態に係る浴室用物干し竿１０を示す分解斜視図であり、図２は、その組み立て斜視図である。また、図３は、浴室用物干し竿１０の部分斜視図であり、衣類Ｃが衣類ハンガーＨを介して浴室用物干し竿１０に掛けられた状態を示している。
【００１２】
図１に示すように、浴室用物干し竿１０は、棒状の竿本体２０と、この竿本体２０に同心で外嵌される複数の単位筒体（筒体）３０と、竿本体２０の左右の端部に外嵌される一対の端部筒体４０と、各端部筒体４０にそれぞれ外嵌状態で螺着される左右一対の袋ナット（取り付け部材）５０とを備えている。これら竿本体２０、単位筒体３０、端部筒体４０および袋ナット５０は、全て硬質の熱可塑性の合成樹脂を原料とした射出成形法によって製造することができる。勿論、金属材料で形成してもよいし、合成樹脂と金属材料との組み合わせで形成してもよい。
【００１３】
竿本体２０は、直径寸法が例えば１０ｍｍ〜２０ｍｍに設定された円柱状を呈し、長さ寸法が家庭用の浴室の対向壁面間の内寸法より若干短めに設定されている。例えば、家庭用の浴室の一般的な大きさを考慮すれば、竿本体２０の長さ寸法は略１８００ｍｍ程度である。
【００１４】
単位筒体３０は、その長手方向に外周面と同心で貫通した貫通円孔３１を有している。貫通円孔３１は、径寸法が竿本体２０の径寸法よりも僅かに大きめに設定されている。従って、各単位筒体３０の貫通円孔３１を竿本体２０に順次外嵌していくことにより、各単位筒体３０が、図２に示すように、竿本体２０に装着された状態になる。この装着に際し、単位筒体３０間には、環状隙間（フック架け溝）３２が形成される。この環状隙間３２は、衣類Ｃ用の衣類ハンガーＨ（図３参照）のフックＨ１を嵌め込むためのものである。
【００１５】
単位筒体３０の長さ寸法（長手方向の寸法）は、５０ｍｍ〜１００ｍｍ程度が適当である。また、環状隙間３２の寸法は、１０ｍｍ程度が適当である。単位筒体３０の長さ寸法が５０ｍｍ未満になると、衣類ハンガーＨに掛けられた衣類Ｃ間の距離が短くなり過ぎ、これによって隣り合った衣類Ｃ同士が互いに接触してしまって良好な乾燥処理が施し難くなる。一方、単位筒体３０の長さが１００ｍｍを超えると、浴室用物干し竿１０に吊持し得る衣類Ｃの数量が少なくなって乾燥処理能力が低下する傾向がある。なお、環状隙間３２の寸法は、フックＨ１のサイズに応じて、適宜設定すればよい。
【００１６】
各単位筒体３０は、竿本体２０上において予め設定された所定の位置にそれぞれ位置決めされた状態で、接着剤により接着されたり、あるいは高周波等を用いた溶着処理等が施されたりすることにより、竿本体２０に固定される。勿論、係止部材等を用いて解体可能なものとしても良い。
【００１７】
端部筒体４０は、竿本体２０の両端部にそれぞれ外嵌されるものであり、同心で長手方向に向けて貫通された貫通円孔４１を有している。かかる端部筒体４０の外方の端部には、雄ネジの螺設された雄ネジ部４２が形成されている。一対の端部筒体４０は、複数の単位筒体３０がそれぞれ竿本体２０に嵌め込まれた後に、当該竿本体２０の各端部に接着剤止め、あるいは溶着止め等によりそれぞれ外嵌固定される。各端部筒体４０と隣設された単位筒体３０との間にも、衣類ハンガーＨのフックＨ１を掛けるための環状隙間４３（図２）が形成される。
【００１８】
袋ナット５０は、浴室用物干し竿１０を浴室の対向壁面間に架設するに際し、当該浴室用物干し竿１０の長さ調整用として使用されるものである。袋ナット５０は、端部筒体４０の雄ネジ部４２に螺着される、端面から長手方向に同心で延びた有底のネジ孔５１を有している。
【００１９】
浴室用物干し竿１０の組み付けに際しては、まず竿本体２０に所定個数の単位筒体３０を外嵌し、それぞれを等間隔で並ぶように位置決めした後、接着剤止めあるいは溶着止めする。引き続き竿本体２０の両端部に、雄ネジ部４２を外側へ向けた状態で円弧遮蔽板４０を外嵌し、接着剤止めあるいは溶着止めで固定することにより、浴室用物干し竿１０の中間体１０′（図２）を得ることができる。
【００２０】
中間体１０′の各端部筒体４０の雄ネジ部４２に、袋ナット５０のネジ孔５１をそれぞれ外嵌螺着することによって、図２に示すように、浴室用物干し竿１０が完成する。このようにして得られた浴室用物干し竿１０は、まず、各袋ナット５０が端部筒体４０の雄ネジ部４２に最後までねじ込んで最短長とされ、この状態で浴室内の対向壁面６１０間に差し渡される。その後、各袋ナット５０が互いに離間する方向に向けて移動するように軸心回りに所定の方向に向けて回される。これにより浴室用物干し竿１０の長さ寸法が漸増していき、その結果、各袋ナット５０の端面が各対向壁面６１０に両肘を張ったような状態で押圧当接する。結果として浴室用物干し竿１０が、図２および図５に示すように、対向壁面６１０間に架設される。
【００２１】
浴室用物干し竿１０は、対向壁面６１０間に架設された状態で隣設の単位筒体３０間に形成された環状隙間３２および端部筒体４０と単位筒体３０との間に形成された環状隙間４３に、洗濯済みの衣類Ｃを支持した衣類ハンガーＨのフックＨ１が掛けられ、当該衣類Ｃの乾燥処理に供される。
【００２２】
以下、図４および図５を基に、浴室用物干し竿１０を用いた浴室内での乾燥処理について説明する。図４は、乾燥室として適用される浴室６０の一実施形態を示す一部切欠き斜視図であり、図５は、その側面視の断面図である。なお、図４および図５において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２３】
図４に示すように、家庭用の浴室６０は、通常、六面が壁６１（前面壁６１１、後面壁６１２、左面壁６１３および右面壁６１４）や、床６２および天井６３によって囲繞された適当な容量の略密閉空間になっており、温度や気流の流れの制御が容易であることから、衣類の乾燥室として好適に利用される。
【００２４】
図４に示す例では、浴室６０内における床６２の左後方角部に浴槽６４が設けられているとともに、前面壁６１１の右方位置には出入口６１６が設けられている。この出入口６１６には引戸６５が設けられ、この引戸６５を左右方向に向けて正逆移動させることにより、出入口６１６が開閉される。前面壁６１１の左右方向の中央部下部には、浴室ガラリ６１５が設けられている。後述の浴室乾燥機７０を運転することにより、外気がこの浴室ガラリ６１５を介して浴室６０内に取り入れられる。また、後面壁６１２の適所には照明器具６６が設けられている。さらに、浴室６０内の適所には、水道の蛇口や、給湯のための給湯器の蛇口や、さらには後述の浴室乾燥機７０を運転するためのコントローラー等が設けられているが、図示を省略している。
【００２５】
本実施形態においては、浴室用物干し竿１０が架設される対向壁面６１０は、前面壁６１１及び後面壁６１２の対向面である。浴室用物干し竿１０は、前面壁６１１及び後面壁６１２の、引戸６５より若干上方位置に架け渡されている。
【００２６】
天井６３の略中央部には、浴室乾燥機７０が装着されている。浴室乾燥機７０は、浴室用物干し竿１０から衣類ハンガーＨを介して吊持された洗濯済みの衣類Ｃを乾燥させるためのものである。天井６３には、浴室乾燥機７０を装着するために、当該浴室乾燥機７０の平面寸法に対応した装着開口６３１が設けられている。
【００２７】
浴室乾燥機７０は、浴室６０内に温風を供給して気流を循環させることにより、洗濯済みの衣類Ｃを効果的に乾燥させる。かかる浴室乾燥機７０は、図４に示すような直方体状を呈した筐体７１内に、図５に示すように、循環ファン７２、換気ファン７３および電気ヒーター７４が内装されることによって構成されている。
【００２８】
筐体７１は、前記天井６３に設けられた装着開口６３１に嵌め込まれる筐体本体７１１と、この筐体本体７１１の天板の右半分の位置から上方に向かって延設された延設筐体７１２とからなっている。筐体本体７１１には、その上下方向の略中間位置に鉢巻き状のフランジ７１１ａが設けられている。筐体本体７１１を上方から装着開口６３１に嵌め込むことにより、フランジ７１１ａが装着開口６３１の縁部に当止し、これによって浴室乾燥機７０が天井６３に装着された状態になる。
【００２９】
筐体本体７１１には、その天板の左右方向の中央部から所定長さだけ垂下された前後方向（図５の紙面に直交する方向）に延びる仕切り板７１３が設けられている。この仕切り板７１３には、気流を流通させるための仕切り板流通窓７１４が設けられている。また、筐体本体７１１には、その底板に気流を流通させるための底板流通窓７１５が形成されているとともに、延設筐体７１２の天板には、浴室６０内の空気を排気するための天板流通窓７１６が形成されている。
【００３０】
循環ファン７２は、外気（建屋内の空気）を、浴室ガラリ６１５を介して浴室６０内へ取り入れるとともに、浴室６０内の空気を循環させるものであり、筐体本体７１１の左半分の位置であって、仕切り板流通窓７１４より下方位置に設置されている。循環ファン７２が駆動されることにより、当該循環ファン７２の下部から下降流が形成されるとともに、この下降流に誘引されて浴室６０内の空気が循環される。
【００３１】
換気ファン７３は、天板流通窓７１６を介して浴室６０内の空気を外部に排気するためのものであり、延設筐体７１２内に設置されている。この換気ファン７３が駆動されることにより上昇気流が発生し、これによって浴室６０内を循環している空気の一部は、底板流通窓７１５を介し、筐体本体７１１の右半分および延設筐体７１２内を通って天板流通窓７１６から外部に排出される。
【００３２】
電気ヒーター７４は、循環ファン７２の駆動により仕切り板流通窓７１４を介して筐体本体７１１の左側上部に供給された循環気流（後述の第１系統気流Ｆ１）を加熱し、これによって洗濯済みの衣類Ｃを乾燥させるための温風を形成させるものである。電気ヒーター７４には通電発熱体が内装され、浴室６０内を循環している空気は、この電気ヒーター７４と熱交換されることによって加熱される。なお、循環空気は、本実施形態においては、略９０℃にまで加熱される。
【００３３】
以下、図５を基に、浴室乾燥機７０を運転することによる浴室６０内での空気の流れについて説明する。ユーザの作業としては、図５に示すように、先ず浴室６０内の対向壁面６１０間に浴室用物干し竿１０を架設する。ついで、この浴室用物干し竿１０に衣類ハンガーＨを介して複数の衣類Ｃを吊持した状態で、図略のコントロールパネルを操作して浴室乾燥機７０を運転する。そうすると、循環ファン７２および換気ファン７３がそれぞれ駆動するとともに、電気ヒーター７４が通電されて高温になる。
【００３４】
循環ファン７２が駆動することで、筐体本体７１１内の空気は、仕切り板流通窓７１４を通って電気ヒーター７４へ供給され、この電気ヒーター７４によって加熱されて略９０℃の乾燥用空気になる。この乾燥用空気は、浴室６０内の衣類Ｃに向けて吹き付けられ、これによって衣類Ｃを乾燥させる第１系統気流Ｆ１が形成される。
【００３５】
また、換気ファン７３が駆動されることにより、浴室６０内を循環している空気の一部が天板流通窓７１６を介して外部へ排出されるため、排出された分を補うべく外気が浴室ガラリ６１５を介して浴室６０内に取り入れられる。そして、この浴室ガラリ６１５から取り入れられた外気と、衣類Ｃに対して乾燥処理を施した気流とが合流して浴室乾燥機７０へ向かう第２系統気流Ｆ２が形成される。さらに、第２系統気流Ｆ２の一部が換気ファン７３および天板流通窓７１６を介して外部へ排出される第３系統気流Ｆ３が形成される。このような気流Ｆ１〜Ｆ３が衣類Ｃに作用しても、浴室用物干し竿１０の環状隙間４３に衣類ハンガーＨのフックＨ１が掛けられているので衣類Ｃは浴室用物干し竿１０の長手方向に移動せず、衣類Ｃ間の間隔は一定に保たれる。
【００３６】
浴室乾燥機７０の運転により浴室６０内の空気の流れが定常状態になると、第１〜第３系統気流Ｆ１，Ｆ２，Ｆ３は、それぞれ安定した状態になり、浴室６０内では、所定量の空気が循環されるとともに、所定量の空気が排気され、この排気を補うべく所定量の空気が浴室ガラリ６１５を介して浴室６０内へ導入される。そして、衣類Ｃに乾燥処理を施すことによって湿度の上昇した所定量の空気が常に外部へ排出されることになるため、浴室６０内を循環している気流の湿度は衣類Ｃの乾燥の進行に伴って漸減していき、衣類Ｃに効率的な乾燥処理が施されることになる。
【００３７】
因みに第３系統気流Ｆ３（すなわち、浴室６０内の換気風量）については、最適値が存在する。例えば、換気風量が少なすぎる場合には、衣類Ｃからの蒸発水分を浴室６０外へ十分に排出することができず、浴室６０内の温度は上昇するとともに、湿度も上昇するため、結果として乾燥速度は遅くなって乾燥効率が低下する。逆に、第３系統気流（換気風量）Ｆ３が多すぎる場合には、衣類Ｃからの蒸発水分を浴室６０外へ十分に排出して浴室６０内の湿度を低下させることができるが、これに伴い浴室６０内の温度も低下するため、結果として乾燥速度が遅くなる。
【００３８】
このようなことから、第３系統気流Ｆ３の量については、衣類Ｃの乾燥速度を最大にするためのオプティマムポイント（最適値）が存在するのであるが、これについてはメーカーサイドで熱力学的に検討されて予め設定されている。
【００３９】
以上詳述したように、本実施形態に係る浴室用物干し竿１０は、浴室乾燥機７０が装備された浴室６０内に配設されるものであり、浴室６０内の対向壁面６１０間に架設される棒状の竿本体２０を有し、竿本体２０には、衣類ハンガーＨのフックＨ１を架けるための複数のフック架け溝としての環状隙間３２が長手方向の全長に亘って等ピッチで設けられている。
【００４０】
このような構成の浴室用物干し竿１０によれば、その竿本体２０を浴室６０内の対向壁面６１０間に架設した状態で、洗濯済みの衣類Ｃが支持された複数の衣類ハンガーＨの各フックＨ１を環状隙間３２にそれぞれ嵌め込んでいくことにより、各衣類Ｃは、所定の間隔で吊持された状態になる。そして、フックＨ１が環状隙間３２に嵌り込んだ状態で吊持されるため、浴室乾燥機７０の温風が衣類ハンガーＨで吊られた衣類Ｃに吹き当たっても、その勢いで吊り位置が竿本体２０の長手方向にずれてしまうことはない。このため、隣接する衣類Ｃが互いに重なり合ったり、或いは互いに離間し過ぎたりするようなアンバランスになる不都合が解消され、これによって浴室乾燥機７０からの気流が各衣類Ｃに均等に供給され、各衣類Ｃに対して均等な乾燥処理を施すことができる。
【００４１】
竿本体２０には、衣類ハンガーＨのフックＨ１を架けるための複数の環状隙間３２が長手方向の全長に亘って略等ピッチで設けられているだけであるため、竿本体２０にスリットを備えた球体を首部の軸心回りに回動自在に取り付けてなる従来の浴室６０用の物干し竿に比較し、構造が極めてシンプルになり、その分製造コストの低減化を達成することができる。
【００４２】
また、竿本体２０には、複数の単位筒体３０がそれぞれ環状隙間３２を介して外嵌されている。環状隙間３２は、周方向で方向性がないため、浴室用物干し竿１０を周方向で方向性が存在しない状態で浴室６０内に取り付けることができ、これによって浴室用物干し竿１０の取り付け作業の作業性を向上させることができる。
【００４３】
また、竿本体２０の端部には端部筒体４０を介して取り付け部材としての袋ナット５０が設けられている。このため、袋ナット５０を軸心回りに回転させて浴室６０内の対向壁面６１０に圧接させることにより、浴室用物干し竿１０を当該袋ナット５０と対向壁面６１０との間の摩擦力によって浴室６０内の対向壁面６１０間に容易に取り付けることができる。
【００４４】
以上、本発明の一実施形態につき説明したが、本発明はこれに限定されるものではなく、例えば下記（１）〜（６）の変形実施形態を取ることができる。
【００４５】
（１）上記の実施形態においては、それぞれ単体としての竿本体２０、単位筒体３０、端部筒体４０および袋ナット５０を製造し、これらを組み付けることによって浴室用物干し竿１０を得るようにしている。こうする代わり、金型を用いた射出成形法によりに竿本体２０、単位筒体３０および端部筒体４０からなる中間体１０を製造し、別途製造した袋ナット５０を端部筒体４０に螺着するようにしてもよい。この場合、各単位筒体３０を竿本体２０に外嵌して接着剤止めあるいは溶着止め等により固定する等の組み付け作業を行わなくてもよくなり、その分浴室用物干し竿１０の製造効率および製造コストの低減化に貢献することができる。
【００４６】
（２）上記の実施形態においては、浴室用物干し竿１０を対向壁面６１０間に架設するための取り付け部材として袋ナット５０が採用されているが、袋ナット５０に代えて吸盤を採用してもよい。この場合、竿本体２０の端部に摺動可能に筒体を外嵌するようにし、この筒体の端面に吸盤を取り付ける。こうすることによって、浴室用物干し竿１０を対向壁面６１０間に架設するに際し、筒体を対向壁面６１０へ向けて移動させ、その端部の吸盤を対向壁面６１０に吸着させることにより、浴室用物干し竿１０を対向壁面６１０間に容易に架設することができる。
【００４７】
（３）上記の実施形態においては、浴室乾燥機７０を浴室６０の天井６３に設ける例を示した。これに代えて、壁６１（図４に示す例では前面壁６１１、後面壁６１２、左面壁６１３および右面壁６１４の内のいずれか）の適所に設けてもよい。この場合、浴室乾燥機７０から吹き出る気流と直交するように浴室用物干し竿１０を壁面間に架設した状態で、複数の環状隙間３２は、平面視で浴室乾燥機７０の気流吹き出し口の中央部を起点として放射状に延びる直線と平行になるように方向設定するのが好ましい。こうすることで、各衣類ハンガーＨに架けられた各衣類Ｃは、いずれも浴室乾燥機７０の気流吹き出し口から吹き出された気流の流れる方向と平行に配された状態になる。従って、各衣類Ｃについて気流に曝される状態が等しくなり、各衣類Ｃについて均一な乾燥処理を確保することができる。
【００４８】
（４）上記の実施形態においては、浴室６０内の空気を加熱するための熱源として電気ヒーター７４を採用している。この電気ヒーター７４に代えてガスや灯油ボイラーからの温水を流通させる温水パイプを採用し、この温水パイプとの熱交換で浴室６０内の空気を加熱してもよい。この場合、浴室６０内の空気は、略７０℃にまで加熱される。
【００４９】
（５）上記の実施形態において、袋ナット５０を、端部筒体４０を介することなく竿本体２０に直接螺着するようにしてもよい。
【００５０】
（６）本発明に係る浴室用物干し竿１０は、特に浴室６０内での衣類Ｃの乾燥用に好適なものとして開発されたものではあるが、屋外での天日乾し用としても当該浴室用物干し竿１０を好適に使用することができる。
【図面の簡単な説明】
【００５１】
【図１】本発明に係る浴室用物干し竿の一実施形態を示す分解斜視図である。
【図２】図１に示す浴室用物干し竿の組み立て斜視図である。
【図３】浴室用物干し竿の部分斜視図であり、衣類が衣類ハンガーを介して浴室用物干し竿に掛けられた状態を示している。
【図４】乾燥室として適用される浴室の一実施形態を示す一部切欠き斜視図である。
【図５】図４に示す浴室の側面視の断面図である。
【符号の説明】
【００５２】
１０  浴室用物干し竿        １０′  中間体
２０  竿本体                ３０  単位筒体（筒体）
３１  貫通円孔              ３２  環状隙間（フック架け溝）
４０  端部筒体
４１  貫通円孔              ４２  雄ネジ部
４３  環状隙間              ５０  袋ナット（取り付け部材）
５１  ネジ孔                ６０  浴室
６１  壁                    ６１０  対向壁面
６１１  前面壁              ６１２  後面壁
６１３  左面壁              ６１４  右面壁
６１５  浴室ガラリ          ６１６  出入口
６２  床                    ６３  天井
６３１  装着開口            ６４  浴槽
６５  引戸                  ６６  照明器具
７０  浴室乾燥機            ７１  筐体
７１１  筐体本体            ７１１ａ  フランジ
７１２  延設筐体            ７１３  仕切り板
７１４  板流通窓            ７１５  底板流通窓
７１６  天板流通窓          ７２  循環ファン
７３  換気ファン            ７４  電気ヒーター
Ｃ  衣類                    Ｈ  衣類ハンガー
Ｈ１  フック
【図１】
2009189408.tif 000003
【図２】
2009189408.tif 000004
【図３】
2009189408.tif 000005
【図４】
2009189408.tif 000006
【図５】
2009189408.tif 000007